(57)【要約】【課題】だれも密封パックの開口部を容易に密封することができ、密封パックに消費者の好みに従って密封対象物を容易に注入することができる。【解決手段】密封対象物が受容される密封パックを密封するシーリング器において、本体ケーシングと；前記本体ケーシング内に設けられた第１シーリング部材と；前記第１シーリング部材に対向に配置する第２シーリング部材と；前記第２シーリング部材を前記第１シーリング部材に対して接近及び離隔可能に支持する可動支持部と；前記第１シーリング部材及び前記第２シーリング部材のうちの少なくともいずれか一つに設けられて、前記両シーリング部材の間に介された前記密封パックを加熱融着するヒーターと；を含むことを特徴とする。【選択図】　図２
2004051223.tif 000002
【特許請求の範囲】
【請求項１】
密封対象物が受容される密封パックを密封するシーリング器において、
本体ケーシングと；
前記本体ケーシング内に設けられた第１シーリング部材と；
前記第１シーリング部材に対向して配置する第２シーリング部材と；
前記第２シーリング部材を前記第１シーリング部材に対して接近及び離隔可能に支持する可動支持部と；
前記第１シーリング部材及び前記第２シーリング部材のうちの少なくともいずれか一つに設けられて、前記両シーリング部材の間に介された前記密封パックを加熱融着するヒーターと；
を含むことを特徴とするシーリング器。
【請求項２】
前記両シーリング部材の間に設けられて、前記密封パックを把持する一対の把持部材を含むことを特徴とする請求項１に記載のシーリング器。
【請求項３】
前記ヒーターは、前記第１シーリング部材に装着されることを特徴とする請求項２に記載のシーリング器。
【請求項４】
前記第１シーリング部材は、前記本体ケーシングに固定され、前記第２シーリング部材は前記可動支持部に設けられ、前記可動支持部は前記本体ケーシングに対して回動可能に設けられて、前記第２シーリング部材を前記第１シーリング部材に接近及び離隔させることを特徴とする請求項２に記載のシーリング器。
【請求項５】
前記各把持部材は、前記本体ケーシング内の両側に相互に接近及び離隔可能に設けられることを特徴とする請求項４に記載のシーリング器。
【請求項６】
前記各把持部材は、相互接近時、前記第１シーリング部材から離隔され、相互離隔時、前記第１シーリング部材に接近するように前記本体ケーシングに回動可能に設けられることを特徴とする請求項５に記載のシーリング器。
【請求項７】
前記可動支持部と前記各把持部材との間に介して、前記第２シーリング部材が前記第１シーリング部材に接近する時に、前記各把持部材を相互に離隔する方向に回動させる連動部をさらに含むことを特徴とする請求項６に記載のシーリング器。
【請求項８】
前記連動部は、前記可動支持部の一領域から突出して、前記可動支持部と一体に回転する回動ピンと、前記本体ケーシングの両側壁に上下方向にスライディング可能に設けられる伝達部材と、を含み、
前記伝達部材の下部には、前記回転ピンが貫通して、前記第２シーリング部材を接近移動させる前記可動支持部の回転運動を前記伝達部材の下降運動に転換する回転ピン貫通孔が設けられ、前記伝達部材の上部には前記伝達部材の下降運動により前記把持部材を加圧して相互離隔位置に移動する傾斜面が形成されていることを特徴とする請求項７に記載のシーリング器。
【請求項９】
前記各把持部材に相互に接近位置への回転方向に弾性力を提供する第１スプリングをさらに含むことを特徴とする請求項８に記載のシーリング器。
【請求項１０】
前記可動支持部と前記第２シーリング部材との間に介して、前記密封パックのシーリング時に前記第２シーリング部材に前記第１シーリング部材方向に弾性力を提供する第２スプリングをさらに含むことを特徴とする請求項９に記載のシーリング器。
【請求項１１】
前記把持部の相互接近位置で前記密封パックに挿入されて密封対象物が注入される管状の注入部材と、
一方は前記注入部材と連結され、他方は前記本体ケーシングに回動可能に設けられて、前記注入部材を前記本体ケーシングに対して回動可能に支持する回動支持部材をさらに含むことを特徴とする請求項２に記載のシーリング器。
【請求項１２】
前記注入部材は、前記密封対象物が前記密封パックの両側方に注入されるように二つの排出口を有することを特徴とする請求項１１に記載のシーリング器。
【請求項１３】
前記密封パックの一端部に所定の間隔を有する少なくとも一つの係止孔が設けられ、前記各把持部材は前記係止孔に対応して前記係止孔に挿入される少なくとも一つの係止突起を有することを特徴とする請求項２に記載のシーリング器。
【発明の詳細な説明】
【０００１】
【発明の属する技術分野】
本発明は、密封対象物が受容される密封パックを密封するシーリング器に関する。
【０００２】
【従来の技術】
一般におかず、魚、汁物などのような飲食物などを保管するために、ビニールなどからなった包装容器（以下、‘密封パック’という）が多用されている。このような密封パックは、外部から異物質や空気が流入されて、飲食物がいたんだり、飲食物やその臭いが外部に流れたりすることを防止するために、飲食物の注入後に開口部をゴム紐などにより結束する。
【０００３】
また、調理機のなかでは、消費者が所定の飲食物が受容された密封パックを買って、密封パックを開放せず、密封状態そのままで調理する場合もある。例えば、ＰＣＴ国際出願ＷＯ９９／２５４６７号に開示された製パン機の場合、消費者は製造者により配合された製パン材料が受容された密封パックを買って、密封状態そのままで製パン機に装着して、調理をする。
【０００４】
ところが、製造者により配合された製パン材料は、消費者の多様な好みを満たすことができなくて、消費者が好む製パン材料をさらに配合して調理をするために密封パックを開放する場合、開放した密封パックをさらに密封し難いという問題がある。即ち、製造者が密封パックを密封するため使用するシーリング器の規模が大きくて、食品小売業者や消費者が店や家に設置して使用できないのである。
【０００５】
【発明が解決しようとする課題】
本発明の目的は、前述した問題点を解決するため、密封パックの開口部を容易に密封することができ、密封パックに消費者の好みに合わせて密封対象物を容易に注入することができるシーリング器を提供することである。
【０００６】
【課題を解決するための手段】
上記課題を解決するため、本発明の主たる態様によれば、密封対象物が受容される密封パックを密封するシーリング器において、本体ケーシングと；前記本体ケーシング内に設けられた第１シーリング部材と；前記第１シーリング部材に対向に配置する第２シーリング部材と；前記第２シーリング部材を前記第１シーリング部材に対して接近及び離隔可能に支持する可動支持部と；前記第１シーリング部材及び前記第２シーリング部材のうちの少なくともいずれか一つに設けられて、前記両シーリング部材の間に介された前記密封パックを加熱融着するヒーターと；を含むことを特徴とするシーリング器が提供される。
前記両シーリング部材の間に設けられて、前記密封パックを把持する一対の把持部材を含むことが好ましい。
ここで、前記ヒーターは、前記第１シーリング部材に装着されることが好ましい。
【０００７】
前記第１シーリング部材は、前記本体ケーシングに固定され、前記第２シーリング部材は前記可動支持部に設けられ、前記可動支持部は前記本体ケーシングに対して回動可能に設けられて、前記第２シーリング部材を前記第１シーリング部材に接近及び離隔させることが好ましい。ここで、前記各把持部材は、前記本体ケーシング内の両側に相互に接近及び離隔可能に設けられることが好ましい。
【０００８】
前記各把持部材は、相互接近時、前記第１シーリング部材から離隔され、相互離隔時、前記第１シーリング部材に接近するように前記本体ケーシングに回動可能に設けられることが好ましい。
【０００９】
前記可動支持部と前記各把持部材との間に介して、前記第２シーリング部材が前記第１シーリング部材に接近する時に、前記各把持部材を相互に離隔する方向に回動させる連動部をさらに含むことが好ましい。
ここで、前記連動部は、前記可動支持部の一領域から突出して、前記可動支持部と一体に回転する回動ピンと、前記本体ケーシングの両側壁に上下方向にスライディング可能に設けられる伝達部材と、を含み、前記伝達部材の下部には、前記回転ピンが通過して、前記第２シーリング部材を接近移動させる前記可動支持部の回転運動を前記伝達部材の下降運動に転換する回転ピン通過孔が設けられ、前記伝達部材の上部には前記伝達部材の下降運動により前記把持部材を加圧して相互離隔位置に移動する傾斜面が形成されていることが効果的である。
前記各把持部材に相互に接近位置への回転方向に弾性力を提供する第１スプリングをさらに含むことが好ましい。
前記可動支持部と前記第２シーリング部材との間に介して、前記密封パックのシーリング時に前記第２シーリング部材に前記第１シーリング部材方向に弾性力を提供する第２スプリングをさらに含むことが好ましい。
【００１０】
前記把持部の相互接近位置で前記密封パックに挿入されて密封対象物が注入される管状の注入部材と、一方は前記注入部材と連結され、他方は前記本体ケーシングに回動可能に設けられて、前記注入部材を前記本体ケーシングに対して回動可能に支持する回動支持部材をさらに含むことが好ましい。ここで、前記注入部材は、前記密封対象物が前記密封パックの両側方に注入されるように二つの排出口を有することが好ましい。
前記密封パックの一端部に所定の間隔を有する少なくとも一つの係止孔が設けられ、前記各把持部材は前記係止孔に対応して前記係止孔に挿入される少なくとも一つの係止突起を有することが好ましい。
【００１１】
【発明の実施の形態】
以下、添付した図面を参照して、本発明に対して詳細に説明する。
本発明によるシーリング器１は、図１及び図２に示すように、本体ケーシング１０と、本体ケーシング１０内に設けられた第１シーリング部材２０と、第１シーリング部材２０に対向して配置される第２シーリング部材３０と、第２シーリング部材３０を第１シーリング部材２０に対して接近及び離隔可能に支持する可動支持部４０と、第１シーリング部材２０及び第２シーリング部材３０のうちのいずれか一つに設けられて、両シーリング部材２０、３０の間に介される密封パック９０（図６参照）を加熱融着するヒーター５０と、両シーリング部材２０、３０の間に設けられて密封パック９０を把持する把持部材６０と、を含む。
【００１２】
本体ケーシング１０は、シーリング器１の全体的な骨組を形成し、前方に開口部が設けられており、内部に密封パック９０の密封時に必要な空間を提供する。本体ケーシング１０の後壁面の下部には、前方に向いて突出した棚板１４が設けられて密封パック４０が把持部材６０に装着される時に、密封パック９０の下部を支持する。
【００１３】
第１シーリング部材２０は、本体ケーシング１０の後壁面の上部から前方に向いて突出されている。
【００１４】
第２シーリング部材３０は、第１シーリング部材２０と対向して可動支持部４０に設けられ、可動支持部４０は、第２シーリング部材３０が第１シーリング部材２０に対して接近及び離隔できるように本体ケーシング１０に対して回動可能に設けられる。即ち、可動支持部４０は、第２シーリング部材３０が設けられたメインブロック４３と、第２シーリング部材３０が第１シーリング部材２０に接近して加圧する加圧位置と第２シーリング部材３０が第１シーリング部材２０から離隔する離隔位置との間を回動できるように、その下部に本体ケーシング１０の内部の前方の下部の両側に設けられた第１ヒンジ部１１により回動可能に支持される一対の回動支持台４１と、を含む。
【００１５】
前述した実施形態では、可動支持部４０が本体ケーシング１０に対して回動可能に設けられているが、可動支持部４０のメインブロック４３にガイドレール（図示せず）を設けて、第２シーリング部材３０が前方及び後方にスライディングして第１シーリング部材２０に接近及び離隔するように設けることもできる。
【００１６】
可動支持部４０は、メインブロック４３の前方に設けられて、可動支持部４０を容易に回動できるように可動取っ手４２をさらに含むことができる。
【００１７】
第１シーリング部材２０及び第２シーリング部材３０のうちのいずれか一つには、可動支持部４０の加圧位置で密封パック９０を加熱融着するヒーター５０が設けられる。図２及び図３には、一例としてヒーター５０が第１シーリング部材２０に設けられていることが示されているが、第２シーリング部材３０に設けることもできる。ここで、ヒーター５０は、電気エネルギーによる抵抗熱により密封パック９０を加熱融着する。
【００１８】
また、本体ケーシング１０の前面には、ヒーター５０の温度を調節する温度調節部１２が設けられて、密封パック９０をシーリングする時にヒーター５０の温度を適切に調節することにより、密封パック９０の損傷を防止することができる。
【００１９】
把持部材６０は、本体ケーシング１０内で、第１シーリング部材２０と第２シーリング部材３０との間に設けられ、密封パック９０の上端部に所定の間隔をおいて設けられた複数の係止孔９１に挿入されて、密封パック９０を把持する複数の係止突起６１を備えている。ここで、把持部材６０は、ニッパー状に設けられ、密封パック９０の一端部を把持するようにすることができる。
【００２０】
図３、図４ａ及び図４ｂを参照すると、把持部材６０は、本体ケーシング１０の上部の両側に所定の間隔をおいて設けられ、相互に接近及び離隔可能に設けられる。ここで、把持部材６０は、略‘Ｌ’字形態を有し、把持部材６０の一側は本体ケーシング１０に設けられた第２ヒンジ部１３に回動可能に結合され、係止突起６１が設けられた把持部材６０の他側は、本体ケーシング１０内の第１シーリング部材２０と第２シーリング部材３０との間に位置する。
【００２１】
これにより、密封パック９０を把持部材６０に装着する時には、両把持部材６０が相互に接近すると、第１シーリング部材２０から離隔されて、密封パック９０の装着を容易にする。また、密封パック９０の開口が容易に開放されるように、空間を提供することにより、製パン材料などの密封対象物を容易に注入することができる。
【００２２】
密封パック９０を加熱融着して密封する場合には、両把持部材６０が相互離隔するように回動することにより、第１シーリング部材２０と近接して、第１シーリング部材２０と第２シーリング部材３０との間に位置して加熱融着される密封パック９０の上端部を緊密に維持して密封パック９０をさらに気密に密封することができる。
【００２３】
一方、本発明によるシーリング器１は、図３に示すように、可動支持部４０と把持部材６０との間に介されて、第２シーリング部材３０が第１シーリング部材２０に向いて接近する時、両把持部材６０を相互に離隔する方向に回動させる連動部７０をさらに含むことができる。
【００２４】
連動部７０は、可動支持部４０の回動支持台４１の下部の両側から突出して、可動支持部４０と一体に回動する回動ピン７１と、本体ケーシング１０に上下方向にスライディング可能に設けられる伝達部材７２と、を有する。ここで、伝達部材７２は、本体ケーシング１０の内側壁１６から伝達部材７２のスライディング方向に沿って突出したガイドリブ７５によりスライディング可能に支持される。
【００２５】
伝達部材７２の下端部には、回動ピン７１が貫通して、第２シーリング部材３０を加圧位置に移動させる可動支持部４０の回転運動を伝達部材７２の下降運動に換えて伝達する回動ピン貫通孔７３が設けられ、伝達部材７２の上端部には伝達部材７２の下降運動により把持部材６０を加圧して、相互に離隔位置に移動するようにする傾斜面７４が形成されている。これにより、可動支持部４０を第２シーリング部材３０の加圧位置に回動させれば、両把持部材６０が可動支持部４０の回動に連動して相互に離隔される。
【００２６】
第２ヒンジ部１３には、把持部材６０が相互に接近するように回転する方向に弾性力を提供する捻りスプリング７６を設けることもできる。これにより、可動支持部４０が第１シーリング部材２０と第２シーリング部材３０との離隔位置に位置する場合、把持部材６０は捻りスプリング７６の弾性力により相互接近する位置を維持することができる。
【００２７】
前記の構成により、本発明によるシーリング器１の作動過程は次の通りである。
まず、可動支持部４０が第１シーリング部材２０及び第２シーリング部材３０の離隔位置に位置し、把持部材６０が捻りスプリング７６の弾性力により相互接近している状態で、把持部材６０の係止突起６１を密封パックに設けられた係止孔９１に挿入して密封パック９０を装着する。次に、密封パック９０に密封対象物の注入が完了されると、第２シーリング部材３０が第１シーリング部材２０に接するように可動支持部４０を回動させる。
【００２８】
この時、可動支持部４０の回動により可動支持部４０の回転軸の領域に設けられた回動ピン７１が共に回転して、伝達部材７２の回動ピン通過孔７３の下部面を加圧することにより、伝達部材７２を下降させる。伝達部材７２の下降運動により伝達部材７２の上端部に設けられた傾斜面７４が把持部材６０を相互に離隔する方向に加圧すると、捻りスプリング７６の弾性力が克服されて把持部材６０が相互に離隔する方向に回動する（図４ａ及び図４ｂ参照）。
【００２９】
この時、密封パック９０の密封される上端部は、把持部材６０の回動によりきりきりに維持された状態で第１シーリング部材２０の前方に対向に位置する。この時、第２シーリング部材３０が密封パック９０を間において第１シーリング部材２０を加圧して、第１シーリング部材２０に設けられたヒーター５０の熱により密封パック９０を加熱融着させる。
【００３０】
次に、所定の時間が経過すると、第２シーリング部材３０が第１シーリング部材２０から離隔するように可動支持部４０を回動すると、把持部材６０は捻りスプリング７６の弾性力により相互に接近する位置に回動する。ここで、密封パック９０は、両把持部６０の間に緩く把持されている状態になって、把持部材６０から容易に除去することができる。
【００３１】
ここで、可動支持部４０と第２シーリング部材３０との間には、密封パック９０の密封時に第２シーリング部材３０を第１シーリング部材２０の方向に移動するように弾性力を提供するスプリング部材４５を設けることができる（図５参照）。これにより、第２シーリング部材３０が第１シーリング部材２０を加圧する時、第１シーリング部材２０にかかる力が密封パック９０の密封部位に効果的に作用し、等しく分布される。
【００３２】
本発明によるシーリング器１は、図６に示すように、把持部材６０の相互接近位置で密封パック９０に挿入されて密封対象物が注入される管状の注入部材８０と、一方は注入部材８０と連結され、他方は本体ケーシング１の後方壁に回動可能に設けられて、注入部材８０を本体ケーシング１０に対して回動可能に支持する回動支持部材８１をさらに含むことができる。ここで、注入部材８０は、漏斗状に設けられることが好ましい。また、注入部材８０の排出口８２は、密封対象物の注入時に密封対象物が密封パック９０内の両側方に等しく排出されるように、二つの排出口８２を有することが好ましい。
【００３３】
前記の構成により、第１シーリング部材２０と第２シーリング部材３０とが相互に離隔され、把持部材６０が相互に接近した状態で密封パック９０を把持部材６０に把持した後、注入部材８０を回動して、注入部材８０の排出口８２が密封パック９０の開口を通じて密封パック９０に挿入する。次に、注入部材８０を通じて密封対象物を密封パック９０内に注入した後、注入部材８０をさらに本体ケーシング１０の後方に回動させる。これにより、シーリング器１に密封パック９０が装着された状態でシーリング器１に一体に設けられた注入部材８０により密封対象物を注入することにより、漏斗のような別途の注入部材８０を設けなくても、安定的に密封対象物を注入することができる。
【００３４】
このように、本発明では、本体ケーシング１０と、本体ケーシング１０に設けられた第１シーリング部材２０と、第１シーリング部材２０に対向する第２シーリング部材３０と、第２シーリング部材３０を第１シーリング部材２０に接近及び離隔移動可能に支持する可動支持部４０と、第１シーリング部材２０及び第２シーリング部材３０のうちの少なくともいずれか一つに設けられて、両シーリング部材２０、３０の間に介される密封パック９０を加熱融着するヒーター５０と、両シーリング部材２０、３０との間に設けられて、密封パック９０を把持する把持部材６０と、を有するシーリング器１を設けることにより、密封パック９０の開口部を容易に密封することができ、注入部材２０を備えることにより、密封パック９０に密封対象物を容易に注入することができる。
【００３５】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００３６】
【発明の効果】
前述したように、本発明によると、だれも密封パックの開口部を容易に密封することができ、密封パックに消費者の好みに従って密封対象物を容易に注入することができるシーリング器を提供することができる。
【図面の簡単な説明】
【図１】本発明によるシーリング器の斜視図である。
【図２】図１の第２シーリング部材が第１シーリング部材から離隔された状態を示す斜視図である。
【図３】図１のシーリング器の分解斜視図である。
【図４ａ】本発明による連動部の作動状態図である。
【図４ｂ】本発明による連動部の作動状態図である。
【図５】図３のＶ−Ｖ線による断面図である。
【図６】本発明による注入部材が設けられたシーリング器の斜視図である。
【符号の説明】
１　　シーリング器
１０　　支持部
１１　　第１ヒンジ部
１２　　温度調節部
１３　　第２ヒンジ部
１４　　棚板
２０　　第１シーリング部材
３０　　第２シーリング部材
４０　　可動支持部
４１　　回動支持部
４２　　可動取っ手
４３　　スプリング部材
５０　　ヒーター
６０　　把持部材
６１　　係止突起
７０　　連動部
７１　　回動ピン
７２　　伝達部材
７３　　回動ピン
７４　　傾斜面
７５　　ガイドリブ
８０　　注入部材
８１　　回動支持部材
８２　　排出口
９０　　密封パック
９１　　係止孔
【図１】
2004051223.tif 000003
【図２】
2004051223.tif 000004
【図３】
2004051223.tif 000005
【図４ａ】
2004051223.tif 000006
【図４ｂ】
2004051223.tif 000007
【図５】
2004051223.tif 000008
【図６】
2004051223.tif 000009